(57)【特許請求の範囲】
【請求項１】
可撓性基材の貼り合せ工程に使用する図形化シール材は、第一基材と第二基材を貼り合せる場合に挟み込む液体の外枠に適用するものであり、
該図形化シール材は、
該第一基材上に固定配置されたシール材体を包含し、
該シール材体は、液体材料を封入する外枠を形成し、且つ、該シール材体は第一端シール材と第二端シール材により形成された最低一つの切り口を形成し、
前記フレーム内の該切り口には点シール材を備え、
前記切り口を形成する前記第一端シール材及び／または前記第二端シール材より最低一つの引導部が延伸され、
前記引導部と、該引導部が延伸された前記第一端シール材及び／または前記第二端シール材の間に角度が形成され、
該角度は直角より大きく１８０度より小さいことを特徴とする可撓性基材の貼り合せ工程に使用する図形化シール材。
【請求項２】
請求項１記載の可撓性基材の貼り合せ工程に使用する図形化シール材において、前記切り口が引導部と前記第一端シール材及び／または前記第二端シール材とにより形成され前記切り口は、該シール材体の形成する外枠の角に配置されて気泡の排出に供されることを特徴とする可撓性基材の貼り合せ工程に使用する図形化シール材。
【発明の詳細な説明】
【技術分野】
【０００１】
本発明は、可撓性基材の貼り合せ工程及びそれに使用するシール材の図形に関するものであり、特に、大気下での貼り合せ並びに気泡を排除し自動封口するのに適する可撓性基材の貼り合せ工程及びそれに使用するシール材の図形に係る。
【背景技術】
【０００２】
液晶平面ディスプレイは製造工程の流れにおいて、液晶充填と封口作業を必要とするが、現在業界で広く使用されている方法には二種類ある。一つは真空毛細管吸入工法で、もう一つは液晶滴下工法（ODF, One Drop Filling ）である。真空毛細管吸入工法は、既に貼り合せ完成したパネルを容器に置き、真空処理完了後、切り口方向のパネルを液晶槽に入れ、容器の真空を破る。パネル内が真空状態である故、液晶はパネル内に吸入され、液晶充填の目的を達成する。充填が完了したパネルは外に出しきれいにした後、更にシール材で封口する。特許文献１（図１の通り）を参照すると、それは、シール材10を既に付けた上ガラス基板11と下ガラス基板12を容器13内の上下吸盤に置き、下ガラス基板12に液晶14を滴下してから、容器13が真空処理した後、位置を合わせて貼り合せ、更にシール材10を硬化する。以上の二種類の液晶注入工法はどちらも真空にする必要があり、工程時間も長く、設備コスト高となる。また、真空毛細管吸入工法過程では、液晶を浪費し易く、また洗浄と封口等工程作業が必要で、工程時間も長く、コスト高であり、この二種類の液晶充填工程は、可撓性液晶ディスプレイの充填と封口に不適当である。
【０００３】
【特許文献１】米国特許第6552772 号明細書
【０００４】
これに対して、可撓性液晶ディスプレイは低コストを成す大気下での作業に適しているが、大気下での充填及び封口作業において、最も困難な気泡問題と、別に封口加工を行わなければならない問題には、まだ良好な解決策が得られていないのが現状である。
【発明の開示】
【発明が解決しようとする課題】
【０００５】
本発明は可撓性基板を大気下で充填し並びに気泡を取り除く効果を達成し自動封口する工程技術にある。
【０００６】
本発明は可撓性基材の貼り合せ工程である。それは、第一基材を使い、図形化シール材を第一基材上に貼り固定、且つ図形化シール材は最低一つの切り口を備える。液体を第一基材の上表面と該図形化シール材が囲むエリア中に充填する。第二基材をプレスフィットして図形化シール材と液体と第一基材の上表面を被覆、図形化シール材は圧力を受けた後に拡大し、該切り口を自動封口して、該液体の周囲を完全に包み込み、最後に該図形化シール材を硬化する。
【０００７】
前述の本発明で述べた第一基材と第二基材間に充填する液体は液晶もしくは貼り合せ剤である。
【０００８】
前述の本発明で述べた図形化シール材は、固体シール材であり、並びに主に紫外線光を照射して硬化される。
【０００９】
前述の本発明で述べたプレスフィット法は、ローラーを使ってプレスフィットし、並びに図形化シール材の第一辺から切り口を備える第二辺の順に行う。
【課題を解決するための手段】
【００１０】
請求項１の発明は、可撓性基材の貼り合せ工程に使用する図形化シール材は、第一基材と第二基材を貼り合せる場合に挟み込む液体の外枠に適用するものであり、
該図形化シール材は、
該第一基材上に固定配置されたシール材体を包含し、
該シール材体は、液体材料を封入する外枠を形成し、且つ、該シール材体は第一端シール材と第二端シール材により形成された最低一つの切り口を形成し、
前記フレーム内の該切り口には点シール材を備え、
前記切り口を形成する前記第一端シール材及び／または前記第二端シール材より最低一つの引導部が延伸され、
前記引導部と、該引導部が延伸された前記第一端シール材及び／または前記第二端シール材の間に角度が形成され、
該角度は直角より大きく１８０度より小さいことを特徴とする可撓性基材の貼り合せ工程に使用する図形化シール材としている。
【００１１】
請求項２の発明は、請求項１記載の可撓性基材の貼り合せ工程に使用する図形化シール材において、前記切り口が引導部と前記第一端シール材及び／または前記第二端シール材とにより形成され前記切り口は、該シール材体の形成する外枠の角に配置されて気泡の排出に供されることを特徴とする可撓性基材の貼り合せ工程に使用する図形化シール材としている。
【発明の効果】
【００１２】
本発明の応用で得られる効果については次の通りである。本発明は大気下において可撓性基材の液晶（もしくは貼り合せ剤）を充填し、組み合わせたプレスフィットの貼り合せ工程を経過後、自動的に余分な液晶もしくは貼り合せ剤を排出し、並びに発生が避けられない気泡も排出し、貼り合せ完成時には、自動的に封口する。よってこの技術は公知技術に比べて設備コストが低く、工程時間が短く、大気下で充填可能であり、真空環境及び設備の提供が不要で、サイズ制限がなく、且つ充填完了後はきれいにしたり封口する必要がない故、工程時間を大幅に縮小して市場競争を優勢にすることができる。
【発明を実施するための最良の形態】
【００１３】
図２、図３、図４、図５を参照して戴きたい。その可撓性基材の貼り合せ工程は次の通りである。まず、第一基材20を使用する（ステップS10 ）。第一基材20は上表面201 を備える。図形化シール材23を貼り固定する（ステップS20 ）。図形化シール材23は第一基材20の上表面201 に固着し、且つ、図形化シール材23の角箇所は最低一つの切り口2311を形成する。更に液体22を充填する（ステップS30 ）。液体22は、粘性及び流動性のある液晶または貼り合せ剤等であり、且つ、充填前に気泡除去処理を行う（未図示）。液体22を第一基材20の上表面201 と図形化シール材23が囲むエリア中に充填するが、大気中での作業の為、液体22と図形化シール材23の接触面に気泡50形成が避け難い。次にローラー30で第二基材21をプレスフィットする（ステップS40 ）。第二基材21もまた可撓性があり、全巻を材料供給輪（未図示）に掛け渡してローラー30でプレスフィットし、並びに、図形化シール材23と液体22と第一基材20の上表面201 を被覆すると同時に、液体22は圧迫を受けた後に図形化シール材23で包み込んだ全体面積に拡散、ローラーで圧し続けると、液体22の溢れ出た部分は気泡50と共に、切り口2311から図形化シール材23エリアを離れて排出される。また、図形化シール材23の切り口2311は圧力を受けた後に広がり、自動的に切り口2311近くのシール材体231 と密着し、封口効果を生み、液体22の周囲を完全に包み込む。最後に、図形化シール材23を硬化する（ステップS50 ）。その硬化工程は、紫外線光（UV）照射のプロセスを採用し迅速硬化が得られる。
【００１４】
続いて図６を参照して戴きたい。本発明の実施例である可撓性基材の貼り合せ工程で使用する図形化シール材は、前記の第一基材20と第二基材21を貼り合せる場合に挟み込む液体22の外枠に適用するものであり、図形化シール材23の構造は次の通りである。シール材体231 は、第一基材20上に固定配置し、シール材体231 は事前に封口した成形液体である外枠を形成し、且つ、シール材体231 は最低一つの切り口2311を形成し、切り口2311は、それぞれシール材体231 の第一端シール材2312と第二端シール材2313により形成される。
【００１５】
続いて図７、図８、図９を参照して戴きたい。前述の図形化シール材23の実施例において、切り口2311を形成する第一端シール材2312と第二端シール材2313の二者、或いはその内の何れの一つは、更に最低一つのの引導部232 を延伸する。この引導部232 は、余分に溢れ出た液体22の流れる方向を引導するもので、自動封口の成功率を高める。引導部232と延伸した第一端シール材2312及び／または第二端シール材2313は、直角を形成する（図７参照）か、不特定角を形成（図８）する。この内の図８のＡが形成する切り口2311は小から大になっており、図８のＢの切り口2311は大から小になっており、図８のＣの切り口2311は変化していないが、全て気泡50を直接排出する。または、湾曲角（図９）等の挟角を形成すると、図９のＡの切り口2311は気泡50を下から上へ排出し、図９のＢの切り口2311は気泡50を下から右へ排出する。
【００１６】
上述の図形化シール材23の実施例において、その内の（引導部232 を備えるか引導部232 を備えない）切り口2311には点シール材24（図１０）を備え、図１０のＡの点シール材24は、切り口2311を二つの流通道に分けており、図１０のＢの点シール材24は、切り口2311を二つの流通道に分け、且つ二つの平行する引導部232 を備え、前述の切り口2311の形状は図８のＢを最良状態とする。
【図面の簡単な説明】
【００１７】
【図１】公知技術の液晶ディスプレイ滴下式液晶充填図である。
【図２】本発明の可撓性基材の貼り合せ工程に関する実施例の工程フローチャートである。
【図３】本発明の可撓性基材の貼り合せ工程に関する実施例構造の工程フロー立体図である。
【図４】本発明の可撓性基材の貼り合せ工程に関する図形化シール材変形封口における上面構造の工程フロー図である。
【図５】本発明の可撓性基材の貼り合せ工程に関する図形化シール材変形封口における側面構造の工程フロー図である。
【図６】本発明の図形化シール材の切り口位置に関する実施例図である。
【図７】本発明の図形化シール材の切り口及び直角の引導部に関する実施例図である。
【図８】本発明の図形化シール材の切り口及び各傾斜角の引導部に関する実施例図である。
【図９】本発明の図形化シール材の切り口及び各湾曲角の引導部に関する実施例図である。
【図１０】Ａは本発明の図形化シール材の切り口に点シール材を付加した実施例図である、Ｂは本発明の図形化シール材の引導部を備えた切り口に点シール材を付加した実施例図である。
【符号の説明】
【００１８】
10  シール材
11  上ガラス基板
12  下ガラス基板
13  容器
14  液晶
20  第一基材
201   上表面
21  第二基材
22  液体
23  図形化シール材
231   シール材体
2311  切り口
2312  第一端シール材
2313  第二端シール材
232   引導部
24  点シール材
30  ローラー
40  紫外線光
50  気泡
【図１】
0004847973.tif 000002
【図２】
0004847973.tif 000003
【図３】
0004847973.tif 000004
【図４】
0004847973.tif 000005
【図５】
0004847973.tif 000006
【図６】
0004847973.tif 000007
【図７】
0004847973.tif 000008
【図８】
0004847973.tif 000009
【図９】
0004847973.tif 000010
【図１０】
0004847973.tif 000011